(57)【要約】【課題】コンピュータ収納装置において、コンピュータ使用時にのみ簡単にキーボードを引き出せるほか、キーボード以外のコンピュータ付属品をも簡単に収納できるようなコンピュータ収納装置を提供すること。【解決手段】所定の高さを持つ２枚の足板３，４で天板１を支えるとともに、該天板１のほぼ中央該天板１の前縁に沿って２枚の足板３，４間に垂直に渡され、足板３，４と同じ高さを有する梁板５と、該梁板５に開けられた導線貫通用のスリット６を有し、該梁板５によって梁板５の前にキーボード収容用の第１の空間１２と、梁板後部にパソコンの周辺機器を収納する第２の空間１２とを備えたことを特徴とするパソコン置き台。天板１の下面に棚板７を設け、天板１に開けられたねじ穴２に螺合するするねじ棒９により棚板７の上の機器を固定してもよい。【選択図】図１
2004129843.tif 000002
【特許請求の範囲】
【請求項１】
少なくともパソコンのディスプレイを載置する天板を所定の高さに支えるパソコン置き台において、
所定の高さを持つ２枚の足板で天板を支えるとともに、該天板のほぼ中央該天板の前縁に沿って２枚の足板間に垂直に渡され、足板と同じ高さを有する梁板と、該梁板に開けられた導線貫通用のスリットを有し、該梁板によって梁板の前にキーボード収容用の第１の空間と、梁板後部にパソコンの周辺機器を収納する第２の空間とを備えたことを特徴とするパソコン置き台。
【請求項２】
少なくともパソコンのディスプレイを載置する天板を所定の高さに支えるパソコン置き台において、
所定の高さを持つ２枚の足板で天板を支えるとともに、該天板のほぼ中央該天板の前縁に沿って２枚の足板間に垂直に渡され、足板と同じ高さを有する梁板と、該梁板に開けられた導線貫通用のスリットを有し、該梁板によって梁板の前にキーボード収容用の第１の空間と、梁板後部にパソコンの周辺機器を収納する第２の空間を備えるとともに、該第１の空間の天板下面に間隔を持って設けられた棚板と、棚板上部の天板に開けられたねじ穴と、該ねじ穴にねじ込まれ、先端で棚板上に載置された周辺機器を固定するねじ棒と、を備えたことを特徴とするパソコン置き台。
【請求項３】
少なくともパソコンのディスプレイを載置する天板を所定の高さに支えるパソコン置き台において、
所定の高さを持つ２枚の足板で天板を支えるとともに、該天板のほぼ中央該天板の前縁に沿って２枚の足板間に垂直に渡され、足板と同じ高さを有する梁板と、該梁板に開けられた導線貫通用のスリットを有し、該梁板によって梁板の前にキーボード収容用の第１の空間と、梁板後部にパソコンの周辺機器を収納する第２の空間を備えるとともに、該第１の空間の天板下面に間隔を持って設けられた棚板と、棚板上部の天板に開けられたねじ穴と、該ねじ穴にねじ込まれ、先端で棚板上に載置された周辺機器の上面に載置された押さえ板を押さえて、周辺機器を棚板上に固定するねじ棒と、を備えたことを特徴とするパソコン置き台。
【請求項４】
少なくともパソコンのディスプレイを載置する天板を所定の高さに支えるパソコン置き台において、
所定の高さを持つ２枚の足板で天板を支えるとともに、該天板のほぼ中央該天板の前縁に沿って２枚の足板間に垂直に渡され、足板と同じ高さを有する梁板と、該梁板に開けられた導線貫通用のスリットを有し、該梁板によって梁板の前にキーボード収容用の第１の空間と、梁板後部にパソコンの周辺機器を収納する第２の空間を備えるとともに、該第１の空間の天板下面に間隔を持って設けられた棚板と、棚板上部の天板に開けられたねじ穴と、該ねじ穴にねじ込まれ、先端に設け該ねじ穴の直径よりも小さい直径の突起で棚板上に載置された周辺機器の上面に置かれた押さえ板に開けられた凹溝に嵌合して押さえ板を位置決めして周辺機器を棚板上に固定するねじ棒と、を備えたことを特徴とするパソコン置き台。
【請求項５】
前記押さえ板の後縁に周辺機器の後縁を支える掛け止め突条を設けたことを特徴とする請求項４に記載のパソコン置き台。
【請求項６】
前記押さえ板の長手方向に設けられ、上記ねじ棒先端の突起がはまり込むスリットを有することを特徴とする請求項４に記載のパソコン置き台。
【請求項７】
前記スリットの縁部に、ねじ棒の先端の突起がはまり込む凹溝を複数設けたことを特徴とする請求項４に記載のパソコン置き台。
【発明の詳細な説明】
【０００１】
【発明が属する技術分野】
本発明は、パソコンの置き台に関し、特に、不要スペースを可及的に小さくできるパソコンの置き台に関する。
【０００２】
【従来の技術】
事務所、工場、商店等のオフィスオートメーション化はめざましく、パソコンの普及もすばらしい。事務所等の内部で、一人で保有するパソコンの台数も数台に及ぶことも珍しくない。特にデスクトップ型のパソコンは、容積も大きく、事務机の上に、１台配置するだけで、机上はパソコンで埋まり、紙にメモを取ろうとしても、キーボードが邪魔になり、満足にメモを取ることもままならない。
【０００３】
このような不都合を解決するために、特許文献にはないが、机上に箱を置き、該箱には、引き出しを設け、箱の上に、コンピュータ本体やＣＲＴを載置し、引き出しの中にキーボードを挿入し、引き出しを出し入れすることによって、キーボードをＣＲＴが載置されている箱の下より出し入れして、コンピュータを動作させるものが現れた。また、引き出し付きの台上にパソコンを載置し、板状の引き出しの上にキーボードを載置するような登録実用新案が下記特許文献１に示されている。また、下記特許文献２に示すように、アタッシュケースから取り出して、簡単に組み立てて、机上に載置しその上にノート型パソコンを載置して使用するようなものも現れた。
【特許文献１】登録実用新案第３０７０８８０号
【特許文献２】特開平１０ー３０４９２４号公報
【０００４】
【発明が解決しようとする課題】
上述のような、コンピュータ収納装置は、コンピュータを使用するとき、引き出しを引き出してキーボードを動作させ、コンピュータを使用しないときは、引き出しを押し込んで、キーボードをＣＲＴの下側に収納できるので、机上の手前に多少の作業スペースを作ることができるが、キーボードの入れ物が引き出しであるため、引き出しの前板やこれに取り付けられた引き出しを引き出す金物が、キーボードの動作の邪魔になるほか、引き出しの中は、キーボードの種類によっては、キーボードか収容できず、構造も複雑となり、高価となる欠点がある。また特許文献１に記載されているような物も構造複雑で、高価になる。さらに特許文献２に示されているような物は、ノート型パソコン用であって、デスクトップ用の物ではない。
本発明はこのような従来の欠点を解消しようとするものであり、その目的は、コンピュータ収納装置において、コンピュータ使用時にのみ簡単にキーボードを引き出せるほか、キーボード以外のコンピュータ付属品をも簡単に収納できるようなコンピュータ収納装置を提供することにある。
【０００５】
【課題を解決するための手段】
上述のような本発明の目的を達成すうため、本願の請求項１に記載の発明は、少なくともパソコンのディスプレイを載置する天板を所定の高さに支えるパソコン置き台において、所定の高さを持つ２枚の足板で天板を支えるとともに、該天板のほぼ中央該天板の前縁に沿って２枚の足板間に垂直に渡され、足板と同じ高さを有する梁板と、該梁板に開けられた導線貫通用のスリットを有し、該梁板によって梁板の前にキーボード収容用の第１の空間と、梁板後部にパソコンの周辺機器を収納する第２の空間とを備えたことを特徴とするパソコン置き台を提供する。
本願の請求項２に記載の発明は、少なくともパソコンのディスプレイを載置する天板を所定の高さに支えるパソコン置き台において、所定の高さを持つ２枚の足板で天板を支えるとともに、該天板のほぼ中央該天板の前縁に沿って２枚の足板間に垂直に渡され、足板と同じ高さを有する梁板と、該梁板に開けられた導線貫通用のスリットを有し、該梁板によって梁板の前にキーボード収容用の第１の空間と、梁板後部にパソコンの周辺機器を収納する第２の空間を備えるとともに、該第１の空間の天板下面に間隔を持って設けられた棚板と、棚板上部の天板に開けられたねじ穴と、該ねじ穴にねじ込まれ、先端で棚板上に載置された周辺機器を固定するねじ棒と、を備えたことを特徴とするパソコン置き台を提供する。本願の請求項３に記載の発明は、少なくともパソコンのディスプレイを載置する天板を所定の高さに支えるパソコン置き台において、所定の高さを持つ２枚の足板で天板を支えるとともに、該天板のほぼ中央該天板の前縁に沿って２枚の足板間に垂直に渡され、足板と同じ高さを有する梁板と、該梁板に開けられた導線貫通用のスリットを有し、該梁板によって梁板の前にキーボード収容用の第１の空間と、梁板後部にパソコンの周辺機器を収納する第２の空間を備えるとともに、該第１の空間の天板下面に間隔を持って設けられた棚板と、棚板上部の天板に開けられたねじ穴と、該ねじ穴にねじ込まれ、先端で棚板上に載置された周辺機器の上面に載置された押さえ板を押さえて、周辺機器を棚板上に固定するねじ棒と、を備えたことを特徴とするパソコン置き台を提供する。
本願の請求項４に記載の発明は、少なくともパソコンのディスプレイを載置する天板を所定の高さに支えるパソコン置き台において、所定の高さを持つ２枚の足板で天板を支えるとともに、該天板のほぼ中央該天板の前縁に沿って２枚の足板間に垂直に渡され、足板と同じ高さを有する梁板と、該梁板に開けられた導線貫通用のスリットを有し、該梁板によって梁板の前にキーボード収容用の第１の空間と、梁板後部にパソコンの周辺機器を収納する第２の空間を備えるとともに、該第１の空間の天板下面に間隔を持って設けられた棚板と、棚板上部の天板に開けられたねじ穴と、該ねじ穴にねじ込まれ、先端に設け該ねじ穴の直径よりも小さい直径の突起で棚板上に載置された周辺機器の上面に置かれた押さえ板に開けられた凹溝に嵌合して押さえ板を位置決めして周辺機器を棚板上に固定するねじ棒と、を備えたことを特徴とするパソコン置き台を提供する。
本願の請求項５に記載の発明は、請求項４に記載の発明に加えて、前記押さえ板の後縁に周辺機器の後縁を支える掛け止め突条を設けたことを特徴とするパソコン置き台を提供する。
本願の請求項６に記載の発明は、請求項４に記載の発明に加えて、前記押さえ板の長手方向に設けられ、上記ねじ棒先端の突起がはまり込むスリットを有することを特徴とするパソコン置き台を提供する。
本願の請求項７に記載の発明は、請求項４に記載の発明に加えて、前記スリットの縁部に、ねじ棒の先端の突起がはまり込む凹溝を複数設けたことを特徴とするパソコン置き台を提供する。
【０００６】
【発明の実施の形態】
次に本発明の実施の形態を図面を用いて詳細に説明する。
図１は、本発明にかかるコンピュータ収納装置の斜め上方から見た斜視図である。図１において、１は天板で、パソコンのディスプレイ等を載置する部分である。天板１の所定位置には、複数個のねじ穴２があけられているが、その詳細は後に述べる。該天板１の両サイドからは、下方に向かって、足板３，４が取り付けられている。
【０００７】
天板１の中央で、左右の足板３，４間に梁板５が渡されている。梁板５の中央下部には、キーボード等の導線を貫通させるスリット６が設けられている。天板１の下面には、天板１と３ｃｍほどの間隔をあけて、棚板７が掛け渡されており、その左右端縁は、足板３，４に固定されている。棚板７の奥には、導線貫通用の穴８が数カ所あけられている。前記天板１にあけられたねじ穴２には、ねじ棒９がねじ込まれる。ねじ棒９は、合成樹脂等絶縁物製のものでよい。ねじ棒９は、ねじ棒９にねじ込まれるねじ部１０と、ねじ部１０を回転させるつまみ部１１が形成されている。つまみ部１１の外周には、ロレットが切られている。
【０００８】
次に、本発明にかかるパソコン置き台の使用について説明する。
図２に示すように、棚板７の下面に形成される空間１２には、キーボード１３を出し入れ自在に配置する。その引き出し導線は、図１に示すように、梁板５にあけられたスリット６から後方に引き出され、後に述べるコンピュータ本体に接続する。天板１と棚板７との間に形成される空間１４には、コンピュータの周辺機器たとえば、ＵＳＢの分配器や、ＬＡＮに使用するハブ等が考えられる。これらの周辺機器１５に接続する電源線や、その他の導線は、図１に示すように、梁板７にあけられた穴８から後方に引き出される。また、梁板５の後側には、図１に示すように、空間１２’が生じる。この空間１２’には、モデム等の周辺機器を配置してもよいし、電源用のテーブルタップを配置してもよい。
【０００９】
これら周辺機器１５の多くは、重量が軽いものが多い。そしてその割にこれらに設けられたコネクタに、外部からプラグやその他の機器を挿脱する回数が多い。前述のように、これらの周辺機器１５は、重量が軽いため、プラグ等を挿脱しようとする度に、これらの周辺機器１５は、移動して、プラグ等の挿脱がきわめて困難で、一方の手これら周辺機器１５を押さえながら、もう一方の手でプラグ等を操作しなければならず、両手が塞がる。このため、本願発明では、天板１にあけられたねじ穴２にねじ込まれたねじ棒９の先端で周辺機器１５等の上面を棚板７に押しつけて固定する。
【００１０】
図３は、本願発明のパソコン置き台にコンピュータを装着した平面図である。図２，３図において、１６は、天板１上に配置したディスプレイであり、１７は、タワー型のコンピュータ本体である。なお、ディスプレイ１６が液晶型で１５インチ程度の小型のもので、コンピュータ本体が薄型で小型のものであれば、天板１上で、ディスプレイ１６の横に並べて配置してもよい。
【００１１】
棚板７上で、周辺機器１５の左横に空間１８が生じるが、この空間１８は、たとえば、その他の周辺機器を配置してもよく、このため、この空間１８上の天板１には複数個のねじ穴２があけらあれて、ねじ棒９をねじ込むようになっている。なお、この空間１８に配置する機器がないような場合には、書類や、マウスパッド等の小物の置き場として利用してもよい。さらにこのスペースと棚板が不要な場合には、棚板を取り去ってもよく、このようなパソコン置き台も本発明に含まれるものである。
【００１２】
図４は、周辺機器の押さえ構造の他の実施の形態を示す平面図である。
この実施の形態では、ねじ棒１９の先端には、円柱状の突起２０が形成されている。２１は、粘りけのあるＡＢＳ合成樹脂や硬質ゴムからなる周辺機器を押さえつけるための押さえ板である。押さえ板２１の後端には、周辺機器の後部縁を引き掛けるための掛け止め突条２２が形成されている。押さえ板２１には、その長手方向にスリット２３が設けられている。このスリットの幅は、上記ねじ棒の突起２０がはまりこむだけの幅を有し、いずれか一方のスリットの縁には、上記突起２０がはまり込むための凹溝２４が複数個形成されている。なお、押さえ板２１にスリット２３を形成することなく、突起２０がはまり込む、多数の円形の凹溝を開けてもよい。
【００１３】
このように形成された周辺機器の押さえ構造において、押さえ板２１が周辺機器を押さえたとき、長さが長くて前面から突出するような場合には、不要な部分を切り落とせばよい。また、周辺機器を押さえつけるとき、ねじ棒の突起２０を凹溝２４に嵌合させておけば、ねじ棒１９が多少緩んでも、押さえ板２１が脱落して周辺機器が奥の方へ移動するような不都合は生じない。
【００１４】
以上、本発明を上述の実施の形態により説明したが、本発明の主旨の範囲内で種々の変形や応用が可能であり、これらの変形や応用を本発明の範囲から排除するものではない。
【００１５】
【発明の効果】
以上詳細に説明したとおり、本願の請求項１に記載の発明は、所定の高さを持つ２枚の足板で天板を支えるとともに、該天板のほぼ中央該天板の前縁に沿って２枚の足板間に垂直に渡され、足板と同じ高さを有する梁板と、該梁板に開けられた導線貫通用のスリットを有し、該梁板によって梁板の前にキーボード収容用の第１の空間と、梁板後部にパソコンの周辺機器を収納する第２の空間とを備えたことを特徴とするパソコン置き台を構成したので、コンピュータ使用時にのみ簡単にキーボードを引き出せるほか、キーボード以外のコンピュータ付属品をも簡単に収納できるようなコンピュータ収納装置を提供することができる。
そのほか、請求項２ないし７に記載の発明は、天板の下面に間隔を開けて、棚板を形成したので、この上に小型の周辺機器ｔぽうを載置出来、ねじ棒や押さえ板で、周辺機器を押さえつければ、周辺機器を棚板に固定でき、周辺機器をしっかりと棚板に固定して使用することができる。
【図面の簡単な説明】
【図１】図１は、本発明のパソコン置き台の斜視図である。
【図２】図２は、パソコン置き台にパソコンを配置した正面図である。
【図３】図３は、パソコン置き台にパソコンを配置した平面図である。
【図４】図４は、本発明の押さえ板を示す斜視図である。
【符号の説明】
１・・・・・天板
２・・・・・ねじ穴
３・・・・・足板
４・・・・・足板
５・・・・・梁板
６・・・・・スリット
７・・・・・棚板
８・・・・・穴
９・・・・・ねじ棒
１０・・・・・ねじ部
１１・・・・・つまみ部
１２・・・・・空間
１２’・・・・空間
１３・・・・・キーボード
１４・・・・・空間
１５・・・・・周辺機器
１６・・・・・ディスプレイ
１７・・・・・コンピュータ本体
１８・・・・・空間
１９・・・・・ねじ棒
２０・・・・・突起
２１・・・・・押さえ板
２２・・・・・掛け止め突条
２３・・・・・スリット
２４・・・・・凹溝
【図１】
2004129843.tif 000003
【図２】
2004129843.tif 000004
【図３】
2004129843.tif 000005
【図４】
2004129843.tif 000006